(57)【要約】【課題】抵抗器部分の発熱量を大幅に低減させて、１枚の基板上にＬＥＤ表示器と、抵抗器とを実装させたときにも、温度が１０℃上昇する毎に、寿命が“１／２”になるＬＥＤ表示器の発光輝度を長期間にわたり、高く保持させて、実装スペースを大幅に低減させる。【解決手段】商用電源から供給される１００Ｖから交流駆動電圧が供給されたとき、全波整流回路５によって、交流駆動電圧を全波整流させて、直流駆動電圧にさせた後、定電流回路９と、抵抗器１０とによって、電圧値、電流値を調整させて、ＬＥＤ回路１６を構成する各ＬＥＤ表示器１１〜１５に各々、“約２Ｖ”の駆動電圧、“約５ｍＡ”の通電電流を供給させ、これらを発光させる。【選択図】      図１
2004266227.tif 000002
【特許請求の範囲】
【請求項１】
入力された交流駆動電圧を整流して直流駆動電圧を生成する整流回路と、
複数の定電流ダイオードを有し、前記整流回路から出力される直流駆動電圧の電流値を予め設定されている電流値にする定電流回路と、
この定電流回路の前段側あるいは後段側に配置され、前記整流回路または前記定電流回路から出力される前記直流駆動電圧を電圧降下させる抵抗器と、
この抵抗器、前記定電流回路によって電圧値、電流値が調整された直流駆動電圧を用いて発光するＬＥＤ表示器と、
を備えたことを特徴とするエレベータ用表示器。
【請求項２】
入力された交流駆動電圧を変圧して、予め設定されている電圧値の交流駆動電圧にする電圧変換器と、
この電圧変換器から出力される前記交流駆動電圧を整流して直流駆動電圧を生成する整流回路と、
１つの定電流ダイオードを有し、前記整流回路から出力される直流駆動電圧の電流値を予め設定されている電流値にする定電流回路と、
この定電流回路の前段側あるいは後段側に配置され、前記整流回路または前記定電流回路から出力される前記直流駆動電圧を電圧降下させる抵抗器と、
この抵抗器、前記定電流回路によって電圧値、電流値が調整された前記直流駆動電圧を用いて発光するＬＥＤ表示器と、
を備えたことを特徴とするエレベータ用表示器。
【発明の詳細な説明】
【０００１】
【発明の属する技術分野】
本発明は、ＬＥＤ表示器を用いてエレベータのかご位置や運転状態などを表示するエレベータ用表示器に関する。
【０００２】
【従来の技術】
エレベータシステムでは、ランプ方式の７セグメント表示器などによって構成されたエレベータ用表示器によって、乗りかごの位置、運転状態などを表示させて、乗客にエレベータを使い易くさせている。
【０００３】
しかしながら、近年、このようなエレベータ用表示器として、ランプ方式の７セグメント表示器をＬＥＤ表示器に取り替えて、メンテナンスを容易にさせることが多い。
【０００４】
この際、駆動電圧などの違いから、抵抗器などを用いて、ランプ用の駆動電圧をドロップダウンさせた後、各ＬＥＤ表示器に供給させて、これを駆動させなければならない。
【０００５】
図３はこのようなＬＥＤ方式のエレベータ用表示器の一例を示す回路図である。なお、この図においては、説明を簡単にするために、１セグメント分の回路のみを表示している。
【０００６】
この図に示すエレベータ用表示器１０１は、ある程度のＷ数を持つ複数の抵抗器、例えば“３Ｗ”の抵抗器１０２、１０５、“２Ｗ”の抵抗器１０３、１０６、“１Ｗ”の抵抗器１０４、１０７、基板などによって構成され、商用電源から供給される１００Ｖの交流駆動電圧を電圧降下させて、所定電圧値の交流駆動電圧にする制限抵抗基板１０８と、複数の整流用ダイオード１０８〜１１２、基板などによって構成され、制限抵抗基板１０８から出力される交流駆動電圧を全波整流して直流駆動電圧を生成する全波整流基板１１３と、５個のＬＥＤ表示器１１４〜１１８、基板などによって構成され、制限抵抗基板１１３から熱的に離された形式、例えば制限抵抗基板１１３に対し、２段構成にされて、全波整流基板１１３から出力される直流駆動電圧によって各ＬＥＤ表示器１１４〜１１８を発光させるＬＥＤ基板１１９とを備えており、商用電源から供給される１００Ｖを電圧降下させた後、全波整流させて直流駆動電圧を生成させて、各ＬＥＤ表示器１１４〜１１８を発光させ、エレベータのかご位置や運転状態などを表示させる。
【０００７】
【発明が解決しようとする課題】
ところで、このようなエレベータ用表示器１０１では、１００Ｖの交流駆動電圧を取り込んで、ＬＥＤ基板１１９を構成している各ＬＥＤ表示器１１４〜１１８を発光させるとき、各ＬＥＤ表示器１１４〜１１８毎に各々、“約２Ｖ”の直流駆動電圧が印加されて、“約５ｍＡ”の通電電流が流れることから、残りの“９０Ｖ”が制限抵抗基板１０８に印加されて、各抵抗器１０２〜１０７が発熱する。
【０００８】
この際、各抵抗器１０２、１０５に各々、“４５Ｖ”の交流駆動電圧が印加されるとともに、各抵抗器１０３、１０６、１０４、１０７に各々、抵抗値に応じた交流駆動電圧、例えば各抵抗器１０３、１０６に各々、“４２．７５Ｖ”の交流駆動電圧が印加され、また各抵抗器１０４、１０７に各々、“２．２５Ｖ”の交流駆動電圧が印加されることから、各抵抗器１０２、１０５、１０３、１０６で各々、“約１１３ｍＷ”の電力が消費されるとともに、各抵抗器１０４、１０７で、“約５．６ｍＷ”の電力が消費されてしまう。
【０００９】
この結果、制限抵抗基板１０８全体の負荷率が“５．６％”になり、上昇温度を実際に計測したとき、４５ｋになってしまうことから、各抵抗器１０３〜１０７の容量を大きくさせたり、多数の抵抗器を接続した合成抵抗回路によって構成させたり、ＬＥＤ基板１１９上に各ＬＥＤ表示器１１４〜１１８に悪影響が出ないように、ＬＥＤ基板１１９と、制限抵抗基板１０８とを別個の基板にして、これらを離すなどの熱対策をとらなければならず、実装スペースを小さくすることができないという問題があった。
【００１０】
本発明は上記の事情に鑑み、抵抗器の数を１つにさせて、発熱量を大幅に低減させることができ、これによって１枚の基板上にＬＥＤ表示器と、抵抗器とを実装させたときにも、長期間にわたり、ＬＥＤ表示器の発光輝度を高く保持させて、実装スペースを大幅に低減させることができるエレベータ用表示器を提供することを目的としている。
【００１１】
【課題を解決するための手段】
上記の目的を達成するために本発明は、請求項１では、ランプ方式のエレベータ用表示器の代わりに使用されるＬＥＤ方式のエレベータ用表示器において、入力された交流駆動電圧を整流して直流駆動電圧を生成する整流回路と、複数の定電流ダイオードを有し、前記整流回路から出力される直流駆動電圧の電流値を予め設定されている電流値にする定電流回路と、この定電流回路の前段側あるいは後段側に配置され、前記整流回路または前記定電流回路から出力される前記直流駆動電圧を電圧降下させる抵抗器と、この抵抗器、前記定電流回路によって電圧値、電流値が調整された直流駆動電圧を用いて発光するＬＥＤ表示器とを備えたことを特徴としている。
【００１２】
上記構成によれば、抵抗器の数を１つにして、発熱量を大幅に低減させ、これによって１枚の基板上にＬＥＤ表示器と、抵抗器とを実装させたときにも、長期間にわたり、ＬＥＤ表示器の発光輝度を高く保持させて、実装スペースを大幅に低減させることができる。
【００１３】
また、請求項２では、ランプ方式のエレベータ用表示器の代わりに使用されるＬＥＤ方式のエレベータ用表示器において、入力された交流駆動電圧を変圧して、予め設定されている電圧値の交流駆動電圧にする電圧変換器と、この電圧変換器から出力される前記交流駆動電圧を整流して直流駆動電圧を生成する整流回路と、１つの定電流ダイオードを有し、前記整流回路から出力される直流駆動電圧の電流値を予め設定されている電流値にする定電流回路と、この定電流回路の前段側あるいは後段側に配置され、前記整流回路または前記定電流回路から出力される前記直流駆動電圧を電圧降下させる抵抗器と、この抵抗器、前記定電流回路によって電圧値、電流値が調整された前記直流駆動電圧を用いて発光するＬＥＤ表示器とを備えたことを特徴としている。
【００１４】
上記構成によれば、定電流ダイオードの使用数を少なくするとともに、抵抗器の数を１つにして、発熱量を大幅に低減させ、これによって１枚の基板上にＬＥＤ表示器と、抵抗器とを実装させたときにも、長期間にわたり、ＬＥＤ表示器の発光輝度を高く保持させて、実装スペースを大幅に低減させることができる。
【００１５】
【発明の実施の形態】
図１は本発明によるエレベータ用表示器の第１の実施形態を示す回路図である。なお、この図においては、説明を簡単にするために、１セグメント分の回路のみを表示している。
【００１６】
この図に示すエレベータ用表示器１は、ブリッジ接続された４つの整流用ダイオード２〜４によって構成され、商用電源から供給される１００Ｖの交流駆動電圧を全波整流して直流駆動電圧を生成する全波整流回路５と、直列に接続された３つの定電流ダイオード６〜８によって構成され、全波整流回路５から出力される直流駆動電圧の電流値を予め設定された値にする定電流回路９と、この定電流回路９から出力される直流駆動電圧を電圧降下させる抵抗器１０と、５個のＬＥＤ表示器１１〜１５などによって構成され、抵抗器１０から出力される直流駆動電圧によって各ＬＥＤ表示器１１〜１５を発光させるＬＥＤ回路１６とを備えている。
【００１７】
そして、商用電源から１００Ｖの交流駆動電圧が供給されたとき、全波整流回路５によって、交流駆動電圧が全波整流されて直流駆動電圧にされた後、定電流回路９と、抵抗器１０とによって電圧値、電流値が調整され、ＬＥＤ回路１６を構成する各ＬＥＤ表示器１１〜１５に各々、“約２Ｖ”の駆動電圧、“約５ｍＡ”の通電電流が供給され、これらが発光する。
【００１８】
この際、ＬＥＤ回路１６全体に、“約１０Ｖ”の直流駆動電圧が印加されて、“約５ｍＡ”の通電電流が流れるとともに、抵抗器１０部分で、その抵抗値と、“約５ｍＡ”の通電電流とに応じた電圧降下が生じる。また、各定電流ダイオード６〜８に残りの直流駆動電圧が均等に印加されることから、抵抗器１０の抵抗値を“６ｋΩ”にすると、抵抗器１０部分で、“約３０Ｖ”の電圧降下が生じて、定電流回路９全体に“約６０Ｖ”の直流駆動電圧が印加され、各定電流ダイオード６〜８に各々、“約２０Ｖ”の直流駆動電圧が印加される。
【００１９】
これにより、各定電流ダイオード６〜８として、通常の発熱特性、例えば“３００℃／Ｗ”の発熱特性を持つ定電流ダイオードを使用すると、各定電流ダイオード６〜８の温度を“３０℃”に抑えることができ、さらに抵抗器１０部分の負荷率を、従来から使用されているエレベータ用表示器と同程度の“５％”以下に抑えることができるとともに、抵抗器１０の容量を“３Ｗ”以下にすることができる。
【００２０】
このように、この第１の実施形態では、商用電源から供給される１００Ｖから交流駆動電圧が供給されたとき、全波整流回路５によって、交流駆動電圧を全波整流させて、直流駆動電圧にした後、定電流回路９と、抵抗器１０とによって、電圧値、電流値を調整して、ＬＥＤ回路１６を構成する各ＬＥＤ表示器１１〜１５に各々、“約２Ｖ”の駆動電圧、“約５ｍＡ”の通電電流を供給させ、これらを発光させるようにしているので、抵抗器１０の数を１つにして、発熱量を大幅に低減させることができ、これによって１枚の基板上に各ＬＥＤ表示器１１〜１５と、抵抗器１０とを実装させたときにも、温度が１０℃上昇する毎に、寿命が“１／２”になる各ＬＥＤ表示器１１〜１５の発光輝度を長期間にわたり、高く保持させて、実装スペースを大幅に低減させることができる。
【００２１】
図２は本発明によるエレベータ用表示器の第２の実施形態を示す回路図である。なお、この図においては、説明を簡単にするために、１セグメント分の回路のみを表示している。
【００２２】
この図に示すエレベータ用表示器２１は、商用電源から供給される１００Ｖの交流駆動電圧を変圧して、制御し易い電圧値、例えば“約６０Ｖ”の交流駆動電圧にする電圧変換器２２と、ブリッジ接続された４つの整流用ダイオード２３〜２６によって構成され、電圧変換器２２から出力される交流駆動電圧を全波整流して直流駆動電圧を生成する全波整流回路２７と、１つの定電流ダイオード２８によって構成され、全波整流回路２７から出力される直流駆動電圧の電流値を予め設定された値にする定電流回路２９と、この定電流回路２９から出力される直流駆動電圧を電圧降下させる抵抗器３０と、５個のＬＥＤ表示器３１〜３５などによって構成され、抵抗器３０から出力される直流駆動電圧によって各ＬＥＤ表示器３１〜３５を発光させるＬＥＤ回路３６とを備えている。
【００２３】
そして、商用電源から１００Ｖの交流駆動電圧が供給されたとき、電圧変圧器２２によって、“約６０Ｖ”の交流駆動電圧にされるとともに、全波整流回路２７によって、交流駆動電圧が全波整流されて、直流駆動電圧にされた後、定電流回路２９と、抵抗器３０とによって、電圧値、電流値を調がされ、ＬＥＤ回路３６を構成する各ＬＥＤ表示器３１〜３５に各々、“約２Ｖ”の駆動電圧、“約５ｍＡ”の通電電流が供給され、これらが発光する。
【００２４】
この際、ＬＥＤ回路３６全体に、“約１０Ｖ”の直流駆動電圧が印加されて、“約５ｍＡ”の通電電流が流れるとともに、抵抗器３０部分で、抵抗値と、“約５ｍＡ”の通電電流とに応じた電圧降下が生じ、定電流ダイオード２８に残りの直流駆動電圧が印加されることから、抵抗器３０の抵抗値を“６ｋΩ”にすると、抵抗器３０部分での電圧降下が“約３０Ｖ”になり、定電流ダイオード２８に“約２０Ｖ”の直流駆動電圧が印加される。
【００２５】
これにより、定電流ダイオード２８として、通常の発熱特性、例えば“３００℃／Ｗ”の発熱特性を持つ定電流ダイオードを使用させると、定電流ダイオード２８の温度上昇を“３０ｋ”に抑えることができ、さらに抵抗器３０部分の負荷率を“３％”以下にさせ、温度上昇を従来から使用されている制限抵抗基板全体の温度上昇“４５ｋ”以下に抑えることができるとともに、抵抗器３０の容量を“３Ｗ”以下にすることができる。
【００２６】
このように、第２の実施形態では、商用電源から１００Ｖの交流駆動電圧が供給されたとき、電圧変圧器２２によって、“約６０Ｖ”の交流駆動電圧にさせるとともに、全波整流回路２７によって、交流駆動電圧を全波整流させて、直流駆動電圧にした後、定電流回路２９と、抵抗器３０とによって、電圧値、電流値を調整させて、ＬＥＤ回路３６を構成する各ＬＥＤ表示器３１〜３５に各々、“約２Ｖ”の駆動電圧、“約５ｍＡ”の通電電流を供給させ、これらを発光させるようにしているので、定電流ダイオード２８の使用数を少なくしつつ、抵抗器１０の数を１つにして、発熱量を大幅に低減させることができ、これによって１枚の基板上に各ＬＥＤ表示器３１〜３５と、抵抗器３０とを実装させたときにも、温度が１０℃上昇する毎に、寿命が“１／２”になる各ＬＥＤ表示器３１〜３５の発光輝度を長期間にわたり、高く保持させて、実装スペースを大幅に低減させることができる。
【００２７】
【発明の効果】
以上説明したように本発明によれば、抵抗器の数を１つにさせて、発熱量を大幅に低減させることができ、これによって１枚の基板上にＬＥＤ表示器と、抵抗器とを実装させたときにも、長期間にわたり、ＬＥＤ表示器の発光輝度を高く保持させて、実装スペースを大幅に低減させることができる。
【図面の簡単な説明】
【図１】本発明によるエレベータ用表示器の第１の実施形態を示す回路図である。
【図２】本発明によるエレベータ用表示器の第２の実施形態を示す回路図である。
【図３】ランプ方式のエレベータ用表示器の代わりに、従来、使用されているＬＥＤ方式のエレベータ用表示器例を示す回路図である。
【符号の説明】
１：エレベータ用表示器
２〜４：整流用ダイオード
５：全波整流回路
６〜８：定電流ダイオード
９：定電流回路
１０：抵抗器
１１〜１５：ＬＥＤ表示器
１６：ＬＥＤ回路
２１：エレベータ用表示器
２２：電圧変換器
２３〜２６：整流用ダイオード
２７：全波整流回路
２８：定電流ダイオード
２９：定電流回路
３０：抵抗器
３１〜３５：ＬＥＤ表示器
３６：ＬＥＤ回路
【図１】
2004266227.tif 000003
【図２】
2004266227.tif 000004
【図３】
2004266227.tif 000005